(57)【特許請求の範囲】
【請求項１】
排水口と排水管との間に接続される排水トラップであって、
前記排水口から排水される排水を一時的に貯めるトラップ本体と、
前記排水口に着脱可能に取り付けられる防臭筒と、を備え、
前記トラップ本体は、排水口から下方奥側へ傾斜しており、
前記防臭筒は排水口に対して垂直な接続部と、
前記接続部に対して傾斜し、トラップ本体と並行な屈曲部を有し、
前記排水口の下端と前記屈曲部との間に、空間を有することを特徴とする排水トラップ
【請求項２】
前記排水口に接続されるフランジ部材を備え、
前記フランジ部材は前記防臭筒を着脱するために、略中央に略円形形状に開口を持ち、
前記防臭筒は前記フランジ部材を介して前記排水口に着脱可能に取り付けられることを特徴とする請求項１に記載の排水トラップ
【請求項３】
前記フランジ部材の外形は略円形形状であることを特徴とする請求項２に記載の排水トラップ
【請求項４】
前記トラップ本体はクイックファスナーにて接続されることを特徴とする請求項２乃至３の何れか１項に記載の排水トラップ
【請求項５】
前記防臭筒は前記フランジ部材との着脱部を端部とした略円筒形状であり、着脱部より下方に屈曲部を持つことを特徴とする請求項２乃至４の何れか１項に記載の排水トラップ
【発明の詳細な説明】
【技術分野】
【０００１】
本発明は、洗面台、キッチン等のキャビネットにおける収納スペースを増大するために、コンパクト化した排水トラップに関するものである。 
【背景技術】
【０００２】
従来の洗面台、キッチン等の排水トラップには、Ｓ字型排水トラップが配備され（例えば、特許文献１）、これが一般的に用いられ、普及していた。
しかし、洗面台、キッチン等のキャビネット内にＳ字型排水トラップが露出することから、キャビネット内が狭くなってしまうという課題や、排水トラップの内部を清掃する際、各部材を取り外すため、キャビネット内の収納物をキャビネット外に出し、人がキャビネット内に潜り込み清掃しなければならず、多大な手間がかかるという課題が存在していた。
また、最近では配管の清掃のために高圧洗浄が定期的に行われる場合があり、高圧洗浄のたびにキャビネット内の収納物をキャビネット外に出さねばならず、著しく多大な手間がかかっていた。
【０００３】
そこでキャビネット奥側に傾斜し、且つ、排水口に近い位置にトラップ機構を備えることで、、キャビネットにおける収納スペースを増大し、且つ、排水口から清掃可能とすることで、清掃の手間を解消する排水トラップが提案されている（例えば、特許文献２、特許文献３）
しかしながら、このような排水トラップはキャビネットの奥側に傾斜していることで、排水トラップの設置に方向性が生じてしまい、施工性が悪化するという課題が存在していた。
【先行技術文献】
【特許文献】
【０００４】
【特許文献１】特開２００３−３２８４１８号公報（第９頁、図１３）
【特許文献２】特開２００７−１３８４９８号公報
【特許文献３】特開２００６−３７４０３号公報
【発明の開示】
【発明が解決しようとする課題】
【０００５】
本発明は、上記問題を解決するためになされたもので、洗面台、キッチン等のキャビネット内の収納スペースを確保しながら、清掃性、施工性の良好な排水トラップを目的として発明されたものである。
【課題を解決するための手段】
【０００６】
上記目的を達成するために請求項１記載の発明によれば、排水口と排水管との間に接続される排水トラップであって、前記排水口から排水される排水を一時的に貯めるトラップ本体と、前記排水口に着脱可能に取り付けられる防臭筒と、を備え、前記トラップ本体は、排水口から下方奥側へ傾斜しており、前記防臭筒は排水口に対して垂直な接続部と、前記接続部に対して傾斜し、トラップ本体と並行な屈曲部を有し、前記排水口の下端と前記屈曲部との間に、空間を有することを特徴とする排水トラップが提供される。
これによれば、まず排水トラップ本体が下方奥側へ傾斜することにより、排水トラップ前方にスペースが生まれ、キャビネット内部を有効活用することが可能となる。また、このように排水トラップが傾斜した状態においても、排水トラップの傾斜方向に関わらず防臭筒を垂直方向へ引き上げることが可能となるという効果を奏する。
【０００７】
また、請求項２記載の発明によれば、前記排水口に接続されるフランジ部材を備え、
前記フランジ部材は前記防臭筒を着脱するために、略中央に略円形形状に開口を持ち、
前記防臭筒は前記フランジ部材を介して前記排水口に着脱可能に取り付けられることを特徴とする排水トラップが提供される。
これにより、フランジ部材の開口部に方向性がなくなり、トラップ本体の接続方向を変更した場合であっても、防臭筒の着脱動作を変更する必要がなくなる。
【０００８】
また、請求項３記載の発明によれば、前記フランジ部材の外形は略円形形状であることを特徴とする排水トラップが提供される。
これにより、フランジ部材自身に方向性がなくなるため、排水トラップに合わせて排水トラップを回転させることが可能となる。
【０００９】
また、請求項４記載の発明によれば、前記トラップ本体はクイックファスナーにて接続されることを特徴とする排水トラップが提供される。
これにより、フランジ部材に対して、トラップ本体が回転自在に接続されるため、一旦施工した後であっても接続を解除することなくトラップ本体を回転させることが可能となる。
【００１０】
また、請求項５記載の発明によれば、前記防臭筒は前記フランジとの着脱部を端部とした略円筒形状であり、着脱部より下方に屈曲部を持つことを特徴とする排水トラップが提供される。
これにより、防臭筒を着脱する際、まず真上に引き上げることが可能となる。その後、真上方向に力を加えると、防臭筒とトラップアウターが接触し、自動的に斜め方向へ抜き出すことが可能となる。つまり、使用者にとって、排水トラップが傾斜していることを意識せずに防臭筒の着脱が可能となっている。
【発明の効果】
【００１１】
本発明によれば、洗面台、キッチン等のキャビネット内の収納スペースを確保しながら、清掃性、施工性の良好な排水トラップが提供される。
【図面の簡単な説明】
【００１２】
【図１】本発明の実施例における排水トラップＡの側面視断面図である。
【図２】本発明の実施例におけるフランジ４の上面図である。
【図３】実施例のクイックファスナー（２０）接続部の側面図である。
【図４】実施例のクイックファスナーである。
【図５】本発明の別の実施例における側面断面図である。
【図６】本発明のさらに別の実施例における側面断面図である。
【発明を実施するための形態】
【００１３】
以下、図を参照しながら本発明の実施例について説明する。
図１に本発明の実施例における排水トラップＡをシンクの排水口Ｂに取り付けた状態の側面視断面図を示す。
シンクの排水口Ｂ内にはフランジ２（フランジ部材）が挿入されている。このフランジ２に対してロックナット３を用いて、トラップアウター１１が取り付けられる。また、このトラップアウター１１の内部にはトラップカップ１２が設けられている。本実施例において、トラップカップ１２はトラップアウター１１と別体で構成されているが、一体成形とすることも可能である。これ以降、トラップアウター１１とトラップカップ１２を合わせて、トラップ本体１と呼称する。
【００１４】
トラップ本体１には排水口Ｂを通じて、防臭筒４が挿入される。防臭筒４の上部から流れ込んだ排水はトラップカップ１２に流入する。トラップカップ１２の容量を超える排水が流入した場合、排水はトラップカップ１２の上端を超えてトラップアウター１１へと流れ込む。
なお、トラップアウター１１はその下端を図示していない排水管Ｃと接続される。排水管Ｃは建築配管と接続されており、トラップアウター１１へ流れ込んだ排水は下水配管へと流出する。
排水の流入が止まると、トラップカップ１２の上端を越えることができない排水が、トラップカップ１２の内部に滞留する。この排水によって、排水管Ｃ内の雰囲気が排水トラップＡを通じて上流側へ逆流することを防止することが可能となる。
【００１５】
本発明の排水トラップにおいて、略水平にフランジ２が接続されるように排水口Ｂが形成されている。
このフランジ２は従来から用いられているＳ字トラップの接続に使われているフランジと比較して特異な構造を有さないため、共通の部材を使用することが可能である。これにより、一般的な排水トラップとの互換が可能となり、フランジに汎用性をもたせることができる。
【００１６】
また、シンクの排水口Ｂに直接トラップアウター１１を接続することで、フランジ２を省略することも可能である。この場合、フランジ２と排水口Ｂの間に段差がなくなることで、排水口Ｂ周辺の清掃性が向上するという効果が得られる。
【００１７】
本発明の排水トラップにおいて、防臭筒４はフランジ２に着脱可能に設置される。これにより、防臭筒を外した場合、市販のブラシ等を使用することによって、排水トラップ内をシンク内から清掃することができ、排水トラップ内の清掃のたびにキャビネット内の収納物を外に出す必要がない。
【００１８】
また、防臭筒４はフランジ２に着脱可能に設置され、且つ、トラップカップ１２とトラップアウター１１の間には隙間が設けられている。これにより、防臭筒４を外した場合、高圧洗浄をシンク内から行うことができ、高圧洗浄のたびにキャビネット内の収納物を外に出す必要がない。
【００１９】
本発明の排水トラップにおいて、トラップアウター１１は排水口Ｂから下方奥側へ傾斜し、それに伴い、防臭筒４も下方奥側へ傾斜している。これにより排水トラップＡ手前に空間が確保され、キャビネット内の収納スペースを有効に活用することができる。
【００２０】
本発明の排水トラップにおいて、防臭筒４はフランジ２と当接する部分は下方に鉛直下方向に延びる接続部４１となっており、接続部４１より下方は奥側に傾斜した屈曲部４２となっている。つまり、防臭筒４のフランジ２と当接する部分、接続部４１は水平方向に方向性がなく、フランジ２が特定の方向性を有することを要求しない。よって、フランジ２はシンクの排水口Ｂに対して、水平方向の自由度を有する。
【００２１】
さらに、接続部４１は防臭筒４とフランジ２の接触部より下方まで延びている。これにより防臭筒４を着脱する際、接続部４１を延長した距離だけ真上に引き上げることが可能となる。その後、さらに真上方向に引き上げると、防臭筒４の屈曲部４２とトラップ本体１が接触し、自動的に斜め方向へ抜き出すことが可能となる。つまり、使用者にとって、排水トラップＡが傾斜していることを意識せずに防臭筒４の着脱が可能となる。
防臭筒４が装着された状態において、屈曲部４２の屈曲方向上部とトラップ本体１との間には空間が存在する。この空間がないと、屈曲部４２とトラップ本体１の接触により、防臭筒４の上方向への移動が妨げられてしまう。この空間は、防臭筒４の接続部４１の長さと略同一であると、屈曲部４２とトラップ本体１が接触した際に、防臭筒４の屈曲部４２が排水口Ｂより上方へ引き出されており、使用者が防臭筒４が屈曲していることを認識できる為、好ましい。
【００２２】
本発明の排水トラップにおいて、防臭筒４は排水口Ｂ内に露出する位置につまみ４３を有する。これにより、排水トラップ内のぬめった箇所に触れることなく防臭筒４を上方に引き出すことが可能となる。また、装着する際にもつまみ４３をもって排水口Ｂに取り付けられたフランジ２内に挿入することが可能となる。
【００２３】
本発明の排水トラップにおいて、防臭筒４とフランジ２の当接部分には、Ｏ−リングシール４４が設置されている。これにより、防臭筒４の外周からトラップアウター１１内部の汚臭などが漏れ出すことを防止することが出来る。
【００２４】
図２に本発明の実施例におけるフランジ２の上面図を示す。
本発明の排水トラップにおいて、フランジ２は略円形形状であり、防臭筒４を着脱するための開口は略中央に略円形形状にて開いている。これにより、排水口Ｂにフランジ２をロックナット３で固定する際にフランジ２の方向性を気にすることなく固定することができる。フランジ２に方向性がある場合、固定後にその向きを無理矢理に直そうとし、フランジ２を破損したり、固定が緩み漏水したりする恐れがあるが、本発明によればこれらの危険を低減することが出来る。
【００２５】
図３に本発明の実施例におけるフランジ２とロックナット３、トラップアウター１１の接続部分の拡大図を示す。
フランジ２はその下部からロックナット３によって、排水口Ｂに固定されている。
また、ロックナット３とトラップアウター１１はクイックファスナー５を解して接続されている。ロックナット３はその下部に、トラップアウター１１はその上部に、それぞれ鍔部を有しており、クイックファスナー５はその鍔部を挟み込むことで両者を接続している。このとき、ロックナット３とトラップアウター１１は相互に回転可能な状態で接続されているため、施工時にクイックファスナー５によって接続した後であっても排水トラップ本体１を回転させて方向調整を行うことが可能となる。
また、ロックナット３にフランジ２の固定と、排水トラップ本体１との接続という二つの機能を持たせることで、部材数を減じ、よりコンパクトな排水トラップＡとすることができ、キャビネット内の収納スペースの増大に有効に寄与する。
【００２６】
図４に本発明の実施例に用いられるクイックファスナー５の詳細図を示す。
クイックファスナー５はロックナット３およびフランジ２を包囲するファスナ本体５１と、ファスナ本体５１に回動可能に係止された回動体５２から構成されている。
回動体５２の一方の端部はヒンジ部５３によってファスナ本体５１に対して回動可能に取り付けられている。また、回動体５２の別の端部はファスナ本体５１の係止部５４に係止することで、ロックナット３およびフランジ２を囲んだ状態で固定される。
このとき、回動体５２のうちヒンジ部５３と接続する部分は開く方向に力がかかるように構成されており、回動体５２は自然とファスナ本体５１から離れる方向に移動する。これにより、施工者が回動体５２の端部を係止部５４に係止し忘れた、あるいは係止が確実でなく外れてしまった場合に、回動体５２が開くことによって、施工者が気づきやすい。
【００２７】
図５に本発明の別の実施例における排水トラップＡをシンクの排水口Ｂに取り付けた状態の側面視断面図を示す。なお、既に説明した実施例と同じ部材には同一の符号を付し、説明を省略する。
この実施例においては、シンクに対して排水口Ｂを別体として構成している。この配す口Ｂはフランジ２と一体的に構成されている。当然ながら排水口Ｂとフランジ２を接続するためのロックナット３は必要でないため、省略されている。
また、排水トラップ本体１（トラップアウター１１）はフランジ２とクイックファスナー５を用いて接続されている。
このように構成することにより、フランジ２周辺部分に汚物が溜まることを防止することが可能であると共に、さらに部材点数を削減することが可能となる。
【００２８】
以上、具体的な実施例を用いて本発明について説明を行ったが、本発明は上記のような具体例に限定されるものではない。本発明を逸脱しない範囲において、材質や形状などを適宜設計することが可能である。
例えば、図６に示すようにトラップカップ１２とトラップアウター１１を一体的に成型し、部品点数を削減してもよい。また、防臭筒４とフランジ２の当接部分に取り付けられるＯ−リングシール４４を上下二箇所とし、防臭筒４のがたつきをさらに低減させるように設計してもよい。
【符号の説明】
【００２９】
Ａ  排水トラップ
Ｂ    排水口
Ｃ    排水管
１    排水トラップ本体
１１  トラップアウター
１２  トラップカップ
２    フランジ
３    ロックナット
４    防臭筒
４１  接続部
４２  屈曲部
４３  つまみ
４４    Ｏリングシール
５    クイックファスナー
５１  ファスナー本体
５２  回動体
５３  ヒンジ部
５４  係止部
【図１】
0005500503.tif 000002
【図２】
0005500503.tif 000003
【図３】
0005500503.tif 000004
【図４】
0005500503.tif 000005
【図５】
0005500503.tif 000006
【図６】
0005500503.tif 000007